(57)【要約】  本発明によって提示された課題は、自動車用ロックの為の閉錠補助具（１）を提供することであり、この閉錠補助具が迅速な開錠を可能にする。課題を解決するため、閉錠補助具（１）が、回転ラッチ（１４）を有するロックの為に作られる。回転ラッチ（１４）は、予備的ラッチ位置および主要ラッチ位置にある少なくとも一つの爪部によってラッチが可能である。閉錠補助具（１）は、モータを備え、このモータによって、回転ラッチ（１４）は、予備的ラッチ位置から主要ラッチ位置へとモータの力によって移動可能になり、自動車の関連ドアまたはフラップが閉錠可能になる。閉錠補助具（１）は、モータの力による閉錠の為の可動閉錠爪部（２）を有する。初期位置から最終位置への、第１経路に沿った、モータによる閉錠爪部（２）の運動によって、回転ラッチ（１４）は、予備的ラッチ位置から主要ラッチ位置へともたらされる。最終位置から初期位置への、閉錠爪部（２）の戻り運動は、異なる、第２経路に沿って生じる。【選択図】  図１
2019513925.tif 000002
【特許請求の範囲】
【請求項１】
回転ラッチ（１４）を備えた自動車用ロックの為の閉錠補助具（１）において、
前記閉錠補助具（１）は、予備的ラッチ位置および主要ラッチ位置において少なくとも一つの爪部によってラチェット駆動可能であり、前記回転ラッチ（１４）を前記予備的ラッチ位置および前記主要ラッチ位置からモータの力によって移動でき、それによって、前記閉錠補助具は、モータの力で閉錠する為に可動閉錠爪部（２）を含み、それによって、前記閉錠爪部は、初期位置から最終位置へと第１経路に沿って閉錠の為に移動可能であり、前記閉錠爪部の戻り運動は、前記最終位置から前記初期位置へと他の第２経路に沿って生じることを特徴とする、閉錠補助具。
【請求項２】
前記閉錠爪部（２）の移動は、一つ又は複数の制御外形部（３，４，５）によって、さらに／または排出装置によって制御され、それによって、前記閉錠爪部（２）の、特に旋回移動は、少なくとも制御外形部（３）または前記排出装置によって制御されることを特徴とする、請求項１に記載の閉錠補助具。
【請求項３】
前記第１経路に沿った、前記閉錠爪部（２）の移動は、好ましくは、前記閉錠爪部（２）が、前記移動の過程で、第１制御外形部（４）および／または第３制御外形部（５）上に隣接して位置するように続き、さらに／または、前記第２経路に沿った、前記閉錠爪部（２）の移動は、前記閉錠爪部（２）が、前記移動中に、第２制御外形部（３）に隣接して位置するように続くことを特徴とする、請求項２に記載の閉錠補助具。
【請求項４】
前記第１制御外形部（４）および前記第２制御外形部（３）は、可動であり、特に、軸（７）を中心として旋回できるように適応されていることを特徴とする、請求項３に記載の閉錠補助具。
【請求項５】
２つの可動の前記制御外形部（３，４）は、旋回可能に適応されたレバー（６）に取り付けられることを特徴とする、請求項４に記載の閉錠補助具。
【請求項６】
可動の前記第１制御外形部（４）、可動の前記第２制御外形部（３）および／または閉錠爪部（２）は、予張力バネの力によって、第３制御外形部（５）の方向に移動可能であることを特徴とする、請求項４または５に記載の閉錠補助具。
【請求項７】
旋回可能な前記レバー（２）は、前記閉錠爪部（２）が前記初期位置から前記最終位置へと移動される場合、単に旋回されることを特徴とする、請求項６に記載の閉錠補助具。
【請求項８】
２つの制御外形部（３，４）の楕円または楕円状の形状を特徴とすることを特徴とする、請求項４〜７のいずれか一項に記載の閉錠補助具。
【請求項９】
前記閉錠爪部（２）が、２つの制御外形部（４，５）によって、少なくとも一定経路に沿って案内されることを特徴とする、請求項１〜８のいずれか一項に記載の閉錠補助具。
【請求項１０】
一定経路に沿って前記閉錠爪部を一緒に案内する２つの前記制御外形部のうちの一つが固定されていることを特徴とする、請求項９に記載の閉錠補助具。
【請求項１１】
前記閉錠爪部（２）は、軸（９）によって旋回できるように適応され、前記第１経路および／または前記第２経路に沿った前記閉錠爪部（２）の移動は、前記軸（９）を中心とした旋回移動と、この軸（９）の再配置を含むことを特徴とする、請求項１〜１０のいずれか一項に記載の閉錠補助具。
【請求項１２】
前記閉錠爪部（２）の前記軸（９）は、モータの力によってシフトされることを特徴とする、請求項１１に記載の閉錠補助具。
【請求項１３】
前記閉錠爪部（２）は、好ましくは円形またはしずく状横断面の突出ボルト（８）を有し、前記制御外形部（３，４，５）および前記ボルト（８）を案内できることを特徴とする、請求項１〜１２のいずれか一項に記載の閉錠補助具。
【請求項１４】
請求項１〜１３のいずれか一項に記載の閉錠補助具を備えたロックにおいて、
回転ラッチ（１４）は、予備的ラッチ位置および主要ラッチ位置において、少なくとも一つの爪部によってラチェット駆動可能であり、それによって、前記閉錠補助具（１）は、前記回転ラッチ（１４）を、モータの力によって、前記予備的ラッチ位置および前記主要ラッチ位置から移動できることを特徴とする、ロック。
【請求項１５】
前記閉錠爪部（２）は、閉錠中、前記回転ラッチ（１４）上に隣接して位置することを特徴とする、請求項１４に記載のロック。
【発明の詳細な説明】
【技術分野】
【０００１】
本発明は、ロック機構を備えた自動車用ロックの為の閉錠補助具に関する。ロック機構は、回転ラッチおよび少なくとも一つの爪部を備える。本発明は、さらに、閉錠補助具を備えた自動車用ロックに関する。そのようなロックの回転ラッチは、爪部によって、予備的ラッチ位置および主要ラッチ位置でラチェット駆動ができる。そのようなロックは、特に、自動車ドア用ロックである。
【０００２】
自動車用ロックの回転ラッチは、フォーク状入口スロットを有し、自動車用ドアまたは自動車用フラップが閉錠されるとき、この中に、自動車用ドアまたは自動車用フラップのロック用ボルトが入る。ロック用ボルトは、その後、開錠位置から閉錠位置に回転ラッチを回転させる。回転ラッチが閉錠位置に達した場合、最早、ロック用ボルトは回転ラッチの入口スロットを離れることはできない。閉錠位置において、爪部は、回転ラッチをラチェット駆動する。その結果、それは、最早、開錠位置へと回転して戻れない。
【０００３】
自動車用ロックには、決まって２つのラチェット位置（即ち、いわゆる予備的ラッチ位置といわゆる主要ラッチ位置）があり、これらの位置は、回転ラッチの閉錠中に連続してとられる。一つの爪部だけが存在することも可能であり、これは、予備的ラッチ位置および主要ラッチ位置において、回転ラッチをラチェット駆動することができる。しかしながら、２つの爪部を設けることも可能であるが、これによって、第１爪部は、予備的ラッチ位置で回転ラッチをラチェット駆動し、第２爪部は、主要ラッチ位置で回転ラッチをラチェット駆動する。主要ラチェットの為の爪部、予備的ラチェットの為の爪部、主要ラチェット−爪部の為のブロックレバーを備えたロックは、公報DE 10 2007 003 948 A1から知られている。
【０００４】
前述された型式のロックの為の閉錠補助具は、公報WO 2010/142280 A1から知られている。閉錠補助具は、駆動装置を含み、これを用いて、回転ラッチは、関連ドアまたはフラップを完全に閉錠するために、モータの力によって、予備的ラッチ位置から主要ラッチ位置へと移動することができる。駆動装置は、ブラケットとして知られる閉錠爪部を含み、これが、モータによって移動される。閉錠中、閉錠爪部は、回転ラッチのボルト上に隣接して位置するので、閉爪部のモータの移動によって、回転ラッチは、予備的ラッチ位置から主要ラッチ位置へと回転することができる。閉錠爪部は、後で、その初期位置へと戻される。閉錠爪部が、その初期位置に達した場合、ロックは再び開錠可能になる。
【０００５】
閉錠爪部の、その初期位置へ戻る移動は、時間を要する。ロックは、この時点で、開錠できない。
【０００６】
さらに、閉錠補助具は、公報DE 10 2008 048 773 A1およびDE 10 2008 048 772 A1から知られている。
【発明の概要】
【０００７】
本発明は、迅速な開錠を可能にする自動車用ロックの為の閉錠補助具を提供することを目的とする。
【０００８】
本発明の目的は、最初の請求項の特徴を用いた対象によって解決される。有利な実施形態は、従属形式請求項から生じる。以下、特に明記しない限り、本発明の目的は、前述した特徴の一つ以上を含み得る。
【０００９】
閉錠補助具は、この目的を解決するために回転ラッチを備えたロックの為に生み出される。回転ラッチは、予備的ラッチ位置および主要ラッチ位置において、少なくとも爪部によってラチェット駆動が可能である。閉錠補助具は、モータを有し、このモータによって、回転ラッチは、直接または間接的にモータの力によって、予備的ラッチ位置および主要ラッチ位置から移動できるので、自動車の関連ドアまたはフラップを閉錠できる。閉錠補助具は、モータによる閉錠の為に、可動の閉錠爪部を有する。
【００１０】
モータを用いた閉錠爪部の、第１経路に沿った初期位置から最終位置への移動によって、回転ラッチは、予備的ラッチ位置から主要ラッチ位置へと移動する。閉錠爪部は、他の第２経路に沿って、最終位置から初期位置へと戻される。戻り移動は、モータの力および／または予張力バネの力によって、行うことができる。
【００１１】
その結果、閉錠爪部の第１経路は、回転ラッチが予備的ラッチから主要ラッチに移動するように選択される。閉錠爪部の第２経路は、閉錠爪部が早期に、特に、初期位置に達する前に早期に係合解除するように選択される。閉錠補助具が係合解除されるとすぐに、ロックは開錠される。そのため、ロックを開錠可能にするため、閉錠爪部がその初期位置に再び達するまで待機する必要がない。
【００１２】
閉錠爪部の移動は、一つ又は複数の制御外形部によって制御されることを好ましい。そのため、異なる経路は、技術的に簡単な方式で実行可能である。特に、閉錠爪部の旋回移動は、回転ラッチが閉錠補助具によって主要ラッチ位置へと移動されるとすぐに、特に迅速に閉錠爪部を係合解除できるように制御される。しかしながら、閉錠爪部は、係合解除により再び関連ロックを早期開錠する為に、たとえば、衝突によって、排出装置を用いて係合解除が可能である。
【００１３】
第１経路に沿った閉錠爪部の移動は、移動中、第１制御外形部上に閉錠爪部が隣接して位置するように好ましくは続き、さらに／または、第２経路に沿った閉錠爪部の移動は、移動中、第２制御外形部上に閉錠爪部が隣接して位置するように続く。閉錠爪部が初期位置から最終位置へと第１経路に沿って移動するように、第１制御外形部は閉錠爪部の為のガイドとして作用する。閉錠爪部が最終位置から初期位置へと第２経路に沿って移動するように、第２制御外形部は閉錠爪部の為のガイドとして作用する。２つの異なる制御外形部によって、異なる経路は、少ない設置空間をほとんど必要とせず、技術的に簡単な方式で、閉錠爪部に対して実行でき、第１経路では初期位置から最終位置に進み、他の第２経路では最終位置から初期位置に戻る。
【００１４】
両方の制御外形部は、移動できるように適合されるのが好ましい。これによって、閉錠爪部が第１制御外形部を介して初期位置から最終位置まで外側ルートで案内され、他の第２制御外形部によって最終位置から初期位置へと戻りルーツで戻ることが、２つの制御外形部の適した移動によって簡単に達成できる。
【００１５】
２つの制御外形部の適した移動は、特に、旋回できるように適合されたレバーに２つの制御外形部を取り付けることによって成功する。レバーが旋回するとき、２つの制御外形部は移動する。
【００１６】
可動の制御外形部の両方および／または閉錠爪部は、一つの設計において、安全操作を可能にするため、第３制御外形部の方向に、バネによって予張力がかけられる。一つ又は複数の予張力バネによって、可動な制御外形部および／または閉錠爪部は、第３制御外形部の方向に移動可能である。第３制御外形部も、特に、第１経路に沿って、閉錠爪部の移動を制御する。第３制御外形部は、固定された方式で基本的に適応、すなわち、しっかりと取り付けられている。
【００１７】
一つの設計において、閉錠爪部が初期位置から最終位置へと移動するとき、旋回可能なレバーは旋回する。これは、技術的に簡単な方式で、第１制御外形部によって閉錠爪部が第１経路に沿って案内されることに貢献する。しかしながら、旋回可能なレバーが、第２経路に沿って移動する間に旋回され、このように、最適に移動処理を制御することも、代替または追加で可能である。
【００１８】
一つの設計において、閉錠爪部が最終位置から初期位置へと移動するとき、旋回可能なレバーは第２回転方向に旋回する。第２回転方向における、この旋回は、初期位置から最終位置へと閉錠爪部が移動する前および／または移動する間に起こり得る。これは、第１制御外形部によって第１経路に沿って閉錠爪部が技術的に簡単な方式で案内されることに貢献する。この、第２回転方向は、前述した第１回転方向と反対である。
【００１９】
特に、両方の外形部は、弧状を有し、これによって、弧状の端部は他に放出するので、たとえば、楕円のような長円状の形状が存在する。鋭角を有する端部が少なくともほぼ存在するが、これが簡単に貢献し得ることは、閉錠爪部が、外側ルートにおいて第１制御外形部によって案内され、戻りルートにおいて第２制御外形部によって案内されることである。
【００２０】
有利な実施形態において、閉錠爪部は、突出したボルトを有し、これは、閉錠爪部の移動中、関連して前述された制御外形部上で隣接して位置する。そのため、制御外形部は、閉錠爪部の移動の過程で、ボルト、したがって、閉錠爪部を案内する。これは、閉錠爪部が外側ルートでは第１制御外形部により、戻りルートでは、第２制御外形部により、更に簡単に改善される。
【００２１】
有利な実施形態において、ボルトは円形またはしずく形状の横断面を有し、これが、更に改善された方式で、外側ルートで第１制御外形部によって案内され、戻りルートで第２制御外形部によって案内される閉錠爪部に貢献する。
【００２２】
一つの実施形態において、閉錠爪部は、軸によって旋回できるように適合される。第１経路および／または第２経路に沿った閉錠爪部の移動は、その軸を中心とした回転移動およびこの軸のシフト（即ち再配置）を含む。そのため、閉錠補助具は、簡単な手段を用いて、異なる経路に沿って移動可能である。
【００２３】
また、本発明は、そのような閉錠補助具を備えたロックに関する。一つの構成における閉錠中、閉錠爪部は、回転ラッチ上に直接隣接しており、コンポーネントの数、したがって、設置空間を最小限に抑える。しかしながら、閉錠爪部および回転ラッチの間に、少なくとも一つの更なるコンポーネントを設けることができ、このため、閉錠爪部の移動は、閉錠の為に回転ラッチに伝達される。
【図面の簡単な説明】
【００２４】
以下、例示的実施形態に基づき、本発明を更に詳細に説明する。
【図１】図１は、初期位置において閉錠爪部を備えた閉錠補助具を示す。
【図２】図２は、最終位置の方向に第１経路に沿って移動中の閉錠爪部を備えた閉錠補助具を示す。
【図３】図３は、最終位置において閉錠爪部を備えた閉錠補助具を示す。
【図４】図４は、初期位置の方向に第２経路に沿って移動中の閉錠爪部を備えた閉錠補助具を示す。
【図５】図５は、閉錠補助具を備えたロックを示す。
【００２５】
【発明の詳細な説明】
【００２６】
図１〜図４は、回転ラッチをモータの力により、好ましくは、直接または間接的に、電気駆動装置によって、予備的ラッチ位置及び主要ラッチ位置から移動可能にするため、自動車用ロックの為の閉錠補助具１の断面を示す。
【００２７】
閉錠補助具は、可動閉錠爪部２を含み、これによって、閉錠爪部２は、閉錠の為に、図１に示された初期位置から、図３に示された最終位置へと、第１経路に沿って移動可能になる。図３は、初期位置から最終位置まで進む第１経路上の閉錠爪部２を示す。最終位置から初期位置への閉錠爪部２の戻り運動は、他の第２経路に沿って生じる。図４は、その最終位置から戻って初期位置に進む為、その第２経路上の閉錠爪部２を示す。２つの異なる経路は、本発明の為に示されるように、第２経路は第１経路とは異なって続く。
【００２８】
第１経路および第２経路に沿った閉爪部２の移動は、幾つかの制御外形部３，４，５によって制御される。
【００２９】
第１制御外形部４および第２制御外形部３は、旋回できるように適合されたレバー６に取り付けられる。レバー６は、その軸の周りに旋回可能である。第１制御外形部４および第２制御外形部３は、それらが旋回可能なレバー６に取り付けられるため、移動できるように適合されている。
【００３０】
特に図２によって図示されるように、閉錠爪部２が、可動の第１制御外形部４および固定された第３制御外形部５上を移動中、閉錠爪部２の第１経路に沿った移動は、隣接して位置するように続いている。閉錠爪部２の第２経路に沿った移動は、図４に示されるように、移動の過程で閉錠爪部２が第２制御外形部３上で隣接して位置するように続いている。
【００３１】
可動の第１制御外形部４および第２制御外形部３および閉錠爪部２は、予張力の、図示しないバネの力によって、しっかりと取り付けられて固定された制御外形部５の方向に移動可能である。２つのバネが、とりわけ確実にすることは、図２に示されるように、閉錠爪部２の、横断面がしずく形状のボルト８が固定された制御外形部５上に隣接して位置し、第１制御外形部４がボルト８の他の側に隣接して位置することである。図４に示されるように、確実にされることは、第１制御外形部４が制御外形部５上に隣接して位置し、閉錠爪部２のボルト８が第２制御外形部３上に隣接して位置することである。これによって、信頼性良く全面的に確実にされることは、閉錠爪部２が、所望の方式で第１経路および第２経路に沿って移動され、予見された方式で、その最終位置および初期位置に達することである。
【００３２】
閉錠爪部２が第１経路に沿って初期位置から最終位置へと移動されるとき、旋回可能なレバー６は、最初に、時計廻りの方向と反対の第１回転方向で旋回される。閉錠爪部２が第１経路の充分な距離を覆った場合、旋回可能なレバー６は、再び戻って、すなわち、時計廻りに旋回される。閉錠爪部２が、その最終位置に達したとき、旋回可能なレバー６は、再び、完全に戻って旋回される。第１制御外形部４は、固定された制御外形部５上に隣接して位置するが、これは、前述された予張力バネの一つの力によって確実にされている。
【００３３】
可動の両方の制御外形部は、楕円形状または少なくとも楕円に類似した形状を形成する。閉錠爪部２の、横断面がしずく形状のボルトとの相互作用において、この形状が確実にすることは、閉錠爪部２が閉錠の為に第１経路に沿って移動され、第１経路とは異なる第２経路に沿って、初期位置へと戻ることである。
【００３４】
固定された制御外形部５は、角のある形状で続く。この角のある形状の脚部は、閉錠爪部２が初期位置へと戻る場合、ボルト８の為の停止部として役立つ。図１が図示することは、制御外形部５の一つの脚部が、閉錠爪部８の更なる右への移動を防止することである。この点で、制御外形部５の、この脚部は、閉錠爪部２の為の停止部を形成する。この角のある形状の更なる脚部は、図２に図示されるように、第１経路に沿った移動を制御し、そのとき、閉錠爪部２のボルト８は、制御外形部５の、この第２脚部上で隣接して位置する。
【００３５】
第１経路に沿って、ボルト８、したがって、その閉錠爪部２は、２つの制御外形部、すなわち、可動の第１制御外形部４および固定された制御外形部５によって案内される。
【００３６】
閉錠爪部２は、図５に示された軸９によって、旋回できるように適合されている。図５において、閉錠爪部２は、図１〜図４と比較して、反対側から示されている。閉錠爪部２の、第１経路および第２経路に沿った移動は、閉錠爪部２の、その軸９を中心とした回転移動を含む。さらに、軸９はシフトされるので、軸９の配置を変更する。図５に示されるように、軸９は、軸１１によって旋回できるように適合されたレバーのレバーアーム９の端部に取り付けられる。このレバーの更なるレバーアーム１２は、ボーデンケーブルと、図示されていない電気モータの助力で、軸１１を中心として旋回可能であり、そのため、閉錠爪部２の軸９をシフト、すなわち、再配置する。そのため、閉錠爪部２の軸９は、モータの力によってシフトされる。閉錠爪部２の、その軸９を中心とした旋回は、制御外形部によって制御されるので、直接的にモータの力によって引き起こされるものではない。電気モータは、原則として、モータとして使用される。
【００３７】
第１経路に沿った移動中、したがって、回転ラッチ１４における閉錠中、閉錠爪部２は、回転ラッチ１４が、その予備的ラッチ位置から、その主要ラッチ位置へと旋回されるように、隣接して位置する。しかしながら、ロック用ハウジング１５によって視界が不明瞭になるので、この隣接関係は、図５から見えない。ロック機構の爪部および回転ラッチは、ロック用ケース１６上に旋回できるように取り付けられている。閉錠爪部２が、その最終位置（図３を参照）に達した後、戻る場合、閉錠爪部２は、図４に示されるように、制御外形部５から、その軸９を中心として旋回することによって早期に持ち上げられるので、回転ラッチからも持ち上げられ、係合が解除される。閉錠爪部２が回転ラッチから持ち上げられるとすぐに、係合が解除され、ロックが開錠される。
【００３８】
本発明の利点は、すなわち、閉錠の後、ロック機構の直接的な開錠中、爪部が再び開錠できることである。閉錠爪部が回転ラッチの係合領域から移動されるので、その初期位置に閉錠ユニットが戻る必要がない。回転ラッチは、結果的に、閉錠の直後に解除され、ロック機構は解錠され、あるいは、ロックは、必要とされる閉錠装置を再設定することなく開錠可能になる。
【００３９】
【符合の説明】
【００４０】
１：閉錠補助具、２：閉錠爪部、３：可動制御外形部、４：可動制御外形部、５：制御外形部、６：旋回可能に適合されたレバー、７：旋回可能に適合されたレバーの為の軸、８：閉錠爪部のボルト、９：閉錠爪部の旋回可能な適合の為の軸、１０：レバーアーム、１１：軸、１２：レバーアーム、１３：ボーデンケーブル、１４：回転ラッチ。
【図１】
2019513925.tif 000003
【図２】
2019513925.tif 000004
【図３】
2019513925.tif 000005
【図４】
2019513925.tif 000006
【図５】
2019513925.tif 000007
【国際調査報告】
2019513925.tif 000008
2019513925.tif 000009
2019513925.tif 000010
2019513925.tif 000011
2019513925.tif 000012
2019513925.tif 000013